(57)【要約】【課題】ケイ線表示部を表示しうるように空白状態にされたケイ線表示用ブランクシートに関し、全体を一見して見た場合、各単位期間の欄を区別して見るのに非常に見易く、しかも隣接する別の単位期間の箇所に誤って直線を引くという事態を防止でき、誤った位置にケイ線を形成するのを防止できるような全く新規なケイ線表示用ブランクシートを提供することを課題とする。【解決手段】日足、週足、月足、年足等に相応する単位期間ごとに、ケイ線表示部を表示しうるように空白の状態にされたシートであって、縦軸方向の株価の数値に応じてケイ線表示部を表示しうるようチャートの縦方向に延設されているとともに、前記日足，週足，月足，年足等に相応する単位期間ごとにチャートの横方向に単位期間ごとに区画して配設された多数の同行欄のうち、等間隔ごとの同行欄は、表示されるケイ線表示部が読み取れる程度に薄く着色され、残りの同行欄は、シートの地色のままにされていることを特徴とする。【選択図】    図１
2004202999.tif 000002
【特許請求の範囲】
【請求項１】
日足、週足、月足、年足等に相応する単位期間ごとに、始値、終値、高値、安値に応じて形成されるケイ線表示部を表示しうるように空白の状態にされたシートであって、縦軸方向の株価の数値に応じてケイ線表示部を表示しうるようチャートの縦方向に延設されているとともに、前記日足，週足，月足，年足等に相応する単位期間ごとにチャートの横方向に単位期間ごとに区画して配設された多数の同行欄のうち、等間隔ごとの同行欄は、表示されるケイ線表示部が読み取れる程度に薄く着色され、残りの同行欄は、シートの地色のままにされていることを特徴とする株価分析用チャートのケイ線表示用ブランクシート。
【請求項２】
着色された１つの同行欄(4a)が、相互に隣接する２つの地色の同行欄(4b)を隔てて３単位期間ごとに配設されている請求項１記載の株価分析用チャートのケイ線表示用ブランクシート。
【請求項３】
日足，週足，月足，年足等に相応する単位期間ごとに横軸方向に表示される時期表示部(5)が、チャートの最下部に設けられている他に、縦軸方向に表示される株価の所定の目盛り位置に設けられている請求項１又は２記載の株価分析用チャートのケイ線表示用ブランクシート。
【発明の詳細な説明】
【０００１】
【発明の属する技術分野】
本発明は、トレンドやパターン等を認識し、株価や相場の変動を予測するための株価分析用チャートを作成するために、日足、週足、月足、年足等に相応する単位期間ごとに、始値、終値、高値、安値に応じて形成されるケイ線表示部を表示しうるように空白状態にされたケイ線表示用ブランクシート、特に、一定の時期まではすでに単位期間ごとにケイ線表示部を表示してチャートとして作成された株価分析用チャートシートに対して、その後の株価の追跡のために、手書きでケイ線表示部を形成するために補填的に使用されるケイ線表示用ブランクシートに関する。
【０００２】
【従来の技術】
一般に、この種の株価分析用チャートは、たとえば市販の書籍又はパソコン画面等に各企業毎に表示されており、一般投資家は、このような書籍又はパソコン画面等を利用して株価や相場の変動を予測する等の株価の分析を行っている。
【０００３】
このような書籍又はパソコン画面等に表示された株価分析用チャートは、一般には、図５に示すように、縦軸８に株価、横軸９に時期が表示され、その横軸９の時期は、日足，週足，月足，年足等に応じて単位期間が設定されている。
【０００４】
そして、このような株価分析用チャートシート７においては、図５に示すように、実体と称される長方形で包囲された部分10と、ひげと称される線状の部分11からなる多数のケイ線表示部６，…が表示され、このケイ線表示部６によって株価の変動を予測する。
【０００５】
ところで、このような株価分析用チャートシートは、初心者や一般投資家は市販の書籍に記載されたものを利用しているが、一般の投資家であっても株の売買を頻繁に行っているような投資家は、株価の動向を追跡するために自身で株価分析用チャートシートを作成しており、さらに専門家ともなれば、このような株価分析用チャートシートを自身で作成することは、株価の動向をリアルタイムで追跡する上で、むしろ必須の作業とさえいえる。
【０００６】
そのような場合には、グラフ用紙等を利用して縦軸に株価を目盛るとともに横軸に日足，週足，月足，年足等に応じた時期を目盛った手作りの用紙、或いは縦軸に株価が表示され、横軸に日足，週足，月足，年足等に応じた時期が表示されてはいるがケイ線表示部が全く表示されていない白紙の株価分析用のチャート用紙等が用いられている。
【０００７】
旧来では、このような用紙に投資家が手書きでケイ線表示部を記載していたが、近年では株価等がパーソナルコンピューターに入力され、そのパーソナルコンピューターの画面でチャートを見ることができ、必要に応じて出力することができるので、手書きをすることなく、ケイ線表示部が単位期間ごとに印刷して表示された株価分析用チャートシートを入手することができる。
【０００８】
しかし、パーソナルコンピューターによって株価データ等の情報をリアルタイムに入力し、管理し、必要に応じて出力して上記のように印刷表示された株価分析用チャートシート、そのうちでも特に10年、20年、30年、40年、それ以上にも及ぶ印刷表示された長期間又は超長期間の株価分析用チャートシートを投資家が得ることは非常に困難である。
【０００９】
従って、上記のように印刷表示された株価分析用チャートシートを、仮に一般投資家が専門家等を通じて入手したとしても、その株価の追跡のために上記のような用紙を用い、自身で手書きによりでケイ線表示部を形成して株価分析用チャートを補填していく必要がある。
【００１０】
従って、いずれにしても、株価の動向を追跡していく投資家であれば、上記のような用紙を用いて手書きで株価のチャートを作成するという作業を行わざるを得ない。
【００１１】
【発明が解決しようとする課題】
実際、上記のように縦軸に株価が目盛られ、横軸に日足，週足，月足，年足等の時期が目盛られて単位期間ごとに区切られた用紙にケイ線を記載する作業が行われており、このような場合、上記のように実体とひげからなるケイ線を記載するには定規等を利用して作業がなされている。
【００１２】
しかし、上記のような用紙は、一般には区切られた単位期間の数が非常に多いので、また区切られた単位期間は同じ表示態様であるので、上記のように定規等を用いてケイ線を形成するための直線を描く場合に、ケイ線を記載すべき単位期間に隣接する別の単位期間の箇所に誤って直線を描くという事態が生じていた。
【００１３】
このようなケイ線表示部は、通常は左側の単位期間から順にケイ線を記載していくので、株価がさほど変動しない場合には、比較的表示する単位期間の欄の行を見誤る可能性は少ないが、株価は急激に変動して、相互に隣接する単位期間の欄内におけるケイ線表示部の高さ位置が著しく変動する場合もしばしばあり、そのような場合には表示箇所を見誤って同行の単位期間の欄に２つのケイ線表示部を形成するようなことも生ずるおそれがあった。
【００１４】
さらに、同じ態様の単位期間の欄が、多数の行に区切って形成されているので、全体を一見しても、各単位期間の欄を区別して見るのに、非常に見にくいものとなっていた。
【００１５】
本発明は、このような問題点をすべて解決するためになされたもので、全体を一見して見た場合、各単位期間の欄を区別して見るのに非常に見易く、しかも上記のように隣接する別の単位期間の箇所に誤って直線を引くという事態を防止でき、誤った位置にケイ線を形成するのを防止できるような全く新規なケイ線表示用ブランクシートを提供することを課題とする。
【００１６】
【課題を解決するための手段】
本発明は、このような課題を解決するためになされたもので、その課題を解決するための手段は、日足、週足、月足、年足等に相応する単位期間ごとに、始値、終値、高値、安値に応じて形成されるケイ線表示部を表示しうるように空白の状態にされたシートであって、縦軸方向の株価の数値に応じてケイ線表示部を表示しうるようチャートの縦方向に延設されているとともに、前記日足，週足，月足，年足等に相応する単位期間ごとにチャートの横方向に単位期間ごとに区画して配設された多数の同行欄のうち、等間隔ごとの同行欄は、表示されるケイ線表示部が読み取れる程度に薄く着色され、残りの同行欄は、シートの地色のままにされていることである。
【００１７】
全体を見易くする観点からは、着色された１つの同行欄は、相互に隣接する２つの地色の同行欄を隔てて３単位期間ごとに配設されていることが望ましい。
【００１８】
また、日足，週足，月足，年足等に相応する単位期間ごとに横軸方向に表示される時期表示部が、チャートの最下部に設けられている他に、縦軸方向に表示される株価表示部の所定の株価の高さ位置に設けられていることが望ましい。
【００１９】
【発明の実施の形態】
以下、本発明の実施形態について図面に従って説明する。
【００２０】
図１及び図２において、１は一実施形態としてのケイ線表示用ブランクシートであり、縦軸２には株価が表示でき、横軸３には時期が表示できるように構成されている。本実施形態においては、このケイ線表示用ブランクシート、縦1.2m、横1.5mの大型のシートが用いられている。またケイ線表示用ブランクシート１は、全体が紙で表示されている。
【００２１】
本実施形態のケイ線表示用ブランクシート１は、１つの銘柄について１つずつ形成されることとなり、従って縦軸２の株価の表示は、その銘柄に応じて株価や縦軸方向の単位寸法あたりの値幅が設定されている。
【００２２】
また横軸３の時期も、銘柄に応じて、その横軸方向の単位期間、すなわち日足，週足，月足，年足等に応じて単位期間が設定され、その単位期間ごとに枠で区分された同行欄が形成されている。この同行欄は、すべての単位期間において同じ幅に形成されている。本実施形態においては、単位期間は月足によって表示されている。
【００２３】
そして、単位期間ごとに区画して配設された多数の同行欄のうち、表示されるケイ線表示部が読み取れる程度の薄さの灰色に着色された着色同行欄4aが、相互に隣接する白色同行欄4b,4b を隔てて３単位期間ごとに配設されている。
【００２４】
すなわち、ケイ線表示用ブランクシート１は、全体が白地の紙製のものであり、３単位期間ごとに配設された着色同行欄4aのみが灰色に着色され、それ以外はケイ線表示用ブランクシート１の地色のままにされているので、３単位期間ごとに配設された複数の着色同行欄4a間の、２単位期間ずつ連接する同行欄が、結果的に地色の白色のままにされて上記のような白色同行欄4b,4b が形成されているのである。
【００２５】
また、横軸３の方向には、日足，週足，月足，年足等に相応する単位期間（本実施形態では月足）ごとに表示される時期表示部５が、チャートの最下部に設けられている他に、縦軸２の一定の株価の位置における横方向にも、上記時期表示部５が設けられている。
【００２６】
具体的には、図３に示すように縦軸２の株価の目盛りにおける500円の位置と、1000円の位置と、1500円の位置との３箇所の位置の横方向に設けられている。
【００２７】
本実施形態のチャートは月足で表示されているので、その月に相当する目盛りが付されているが、各月に対応する同行欄は隣接しているのですべての月に数字を付すと月の数字が見にくくなり、従って本実施形態では奇数の月の数字（１，３，５，７，９，11）のみが表示され、偶数の月は点（・で表示されている）のみが付されている。
【００２８】
また、着色同行欄4aは、上述のように相互に隣接する白色同行欄４bを隔てて３単位期間ごとに配設されているので、本実施形態では２月、５月、８月、11月が着色同行欄4aとして表示されており、それ以外の月が白色同行欄４bとして表示されている。
【００２９】
上述のような構成からなるケイ線表示用ブランクシート１は、すでに一定の時期まではケイ線表示部が表示されている株価分析用チャートシートの補填用として使用されるものである。たとえば、2004年の12月までの株価がケイ線表示部によって表示された株価分析用チャートシートが印刷によって作成されていれば、そのシート（紙面）の左側に上記実施形態のケイ線表示用ブランクシート１を接続し、その後の株価の追跡のために、2005年の１月からケイ線表示用ブランクシート１に手書きでケイ線表示部を形成するのである。ちなみに、本実施形態においては、図４に示すように2044年の12月まで同行欄が設けられている。
【００３０】
そして、図５に示すように、ローソク足と称されるケイ線表示部６が株価分析用チャートシート７に表示されていれば、同じローソク足のケイ線表示部を手書きで上記ケイ線表示用ブランクシート１に記載していくのである。
【００３１】
具体的には、定規等を用いて上記のようなローソク足のケイ線表示部を形成すべく、各月ごとの同行欄に直線を描いていくのである。
【００３２】
この場合において、着色同行欄4aは２つの白色同行欄４bを隔てて３単位期間ごと（３月ごと）に配設されている、すなわち２月、５月、８月、11月のみに配設され、それ以外の月には白色同行欄４bが配設されているので、隣接する月の箇所の同行欄（たとえば４月であれば５月）に誤って直線を描くという事態を防止することができる。従って、誤った位置にケイ線表示部を形成するのを好適に防止することができるのである。
【００３３】
また、上述のように着色同行欄4aが２つの白色同行欄４bを隔てて３単位期間ごと（３月ごと）に配設されているので、多数の同行欄が連続して配設されているにもかかわらず、全体が非常に見易いものとなる。
【００３４】
尚、上記実施形態では、２月、５月、８月、11月に相当する時期の同行欄が着色同行欄4aとして形成されていたが、１月、４月、７月、10月に相当する時期の同行欄を着色同行欄4aとして形成することも可能であり、また３月、６月、９月、12月に相当する時期の同行欄を着色同行欄4aとして形成することも可能である。
【００３５】
また、上記実施形態では、同行欄を形成する単位期間が月足で表示されていたが、月足に限らず、日足、週足、年足等で表示することもむろん可能であり、銘柄や株価の変動状況等に応じて任意に設定することができる。
【００３６】
更に、上記実施形態では、着色同行欄4aが２つの白色同行欄４bを隔てて３単位期間ごと（上記実施形態では月足なので３ケ月ごと）に配設されていたが、これに限らず、２単位期間（たとえば月足の場合は２ケ月ごと）、すなわち着色同行欄4aと白色同行欄４bとを交互に配設することも可能である。
【００３７】
また、着色同行欄4aを２つの白色同行欄４bを隔てて４単位期間ごと（月足の場合は４ケ月ごと）に配設することも可能であり、またそれ以上の間隔を隔てて着色同行欄4aを設けることも可能である。
【００３８】
要は、着色同行欄4aは、単位期間の等間隔ごとに配置されていればよいのである。
【００３９】
ただし、２単位期間ごとに着色同行欄4aを配設した場合には、３単位期間ごとに配設する場合に比べて全体が見にくくなるおそれがあり、また４単位期間以上に間隔を隔てて配置した場合には、結果的に白色同行欄４bが３単位期間以上連続して配設されることになるので、間隔が隔てられるほど、隣接する同行欄に誤って直線を引く事態を防止するという本来の効果が低下するおそれがあり、従ってこれらの観点からは、上記実施形態のように着色同行欄4aを３単位期間ごとに配設するのが最も望ましい。
【００４０】
また、縦軸２の株価の設定や、縦軸２における単位寸法あたりの価格の設定も銘柄に応じて任意に変更可能である。
【００４１】
さらに、上記実施形態では、日足，週足，月足，年足等に相応する単位期間ごとに表示される時期表示部５が、チャートの最下部に設けられている他に、縦軸２の株価の目盛りにおける３箇所の位置（上記実施形態では500円、1000円、1500円の位置）に設けられていたが、２箇所であってもよく、また１箇所であってもよく、その数は表示される銘柄の株価の変動の度合いによって任意に設定することができる。
【００４２】
尚、このようにチャートの最下部以外に、縦軸２の株価の所定の位置に時期表示部５を表示することによって、ケイ線表示部を表示する同行欄を見誤ることがなく、また定規等を用いて直線を描く作業も、チャートの最下部以外に時期表示部５が設けられていることによってより容易に行うことができるという好ましい効果が得られるが、このようにチャートの最下部以外に時期表示部５が設けることは本発明に必須の条件ではない。
【００４３】
また、上記実施形態では、着色同行欄4aが灰色に着色されていたが、着色同行欄4aに着色される色の種類も灰色に限定されるものではなく、要は、表示されるケイ線表示部が読み取れる程度に薄く着色されていればよいのである。
【００４４】
さらに、該実施形態では、ケイ線表示用ブランクシート１を構成する用紙が通常の白色の用紙であったため、着色同行欄4a以外の同行欄は白色同行欄４bとして表示されていたが、ケイ線表示用ブランクシート１自体は白色以外に薄く着色されたものを用いることも可能であり、従ってその場合は、着色同行欄4a以外の同行欄は、ケイ線表示用ブランクシート１の地色の色となる。
【００４５】
さらに、上記実施形態では、いわゆるローソク足のケイ線表示部を表示した株価分析用チャートシートに接続し、その補填用として使用する場合について説明したが、このようなローソク足のケイ線表示部６を表示した株価分析用チャートシートに限らず、たとえばず図６に示すような略六角形状の特殊なケイ線表示部６を表示した株価分析用チャートシート７に接続し、その補填用として使用することも可能である。
【００４６】
すなわち、この図６の株価分析用チャートシート７に表示されたケイ線表示部６は、図７に示すように始値を表す２箇所の表示位置12,12と、終値を表す２箇所の表示位置13,13とが縦方向にそれぞれ２つの線で結線され、始値を表す２箇所の表示位置12,12と高値を表す１箇所の表示位置14とがそれぞれ斜め方向に２つの線で結線され、さらに終値を表す２箇所の表示位置13,13と安値を表す１箇所の表示位置15とがそれぞれ斜め方向に２つの線で結線されて全体が略六角形状に形成されている。そして、始値が終値より高い場合には、図７（イ）に示すように白色（白抜き）に表示されて陽線であることが示され、始値が終値より安い場合には、同図（ロ）に示すように灰色に着色されて陰線であることが示されることとなる。
【００４７】
このように表示されるケイ線表示部６の形状は、２箇所の始値の表示位置12,12、２箇所の終値の表示位置13,13、高値の表示位置14、安値の表示位置15をそれぞれ頂点とする略六角形状に形成されたものである点ですべての単位期間で共通するが、その形状は必然的に始値、終値、高値、安値の価格に応じて単位期間ごとにすべて異なるものとなる。また、出来高の相違に応じてケイ線表示部７の幅も異なるように構成されている。
【００４８】
さらに、上記実施形態では、予め印刷されて作成された株価分析用チャートシートに接続し、その既設の株価分析用チャートシートにおいてケイ線表示部が作成されている時期以後の株価の動向を追跡するために、上記株価分析用チャートシートの補填用として上記のようなケイ線表示用ブランクシート１を使用する場合について説明したが、このような補填用として使用する場合に限らず、株価分析用チャートシートを新たに作成するために使用することも可能である。
【００４９】
この場合においても、着色同行欄4aが２つの白色同行欄４bを隔てて３単位期間ごと等の等間隔ごとに配設されているので、隣接する月の箇所の同行欄（たとえば４月であれば５月）に誤って直線を引くという事態を防止することができ、また全体が非常に見易いという効果が得られることとなる。
【００５０】
また、上記実施形態では、ケイ線表示用ブランクシート１によって補填される株価分析用チャートシートとして、パーソナルコンピューター等に入力された情報に基づいて出力されて印刷されたものを用いたが、このような印刷されたものに限らず、手書きで表示された株価分析用チャートシートの補填用として上記のようなケイ線表示用ブランクシート１を用いることも可能である。
【００５１】
さらに、上記実施形態では、チャートシート１が紙で構成されている場合について説明したが、チャートシート１の材質は紙に限定されるものではなく、たとえば合成樹脂製のシートを用いることも可能であり、そのチャートシート１の材質は問わない。ただし、取り扱いの便宜、表示のしやすさ、コスト等の観点からは、紙製のものが好ましい。
【００５２】
また、上記実施形態では、１枚のケイ線表示用ブランクシートを用いる場合について説明したが、複数枚のケイ線表示用ブランクシートを繋ぎ合わせて使用することも可能である。株価の変動を長期にわたって検討し、考察するためには、その分単位期間が多くなり、従って寸法にある程度の限界のあるケイ線表示用ブランクシートを繋ぎ合わせて使用する必要が生ずる場合があるからである。
【００５３】
さらに、上記実施形態では、ケイ線表示用ブランクシート１として、縦1.2m、横1.5mのものを用いたが、ケイ線表示用ブランクシート１の寸法はこれに限定されるものではなく、その大きさは問うものではない。
【００５４】
ただし、株価分析用チャートシートが大型の表示紙面を有するものであれば、ケイ線表示用ブランクシート１もその大きさに合致させる必要があり、その場合には、ケイ線表示部その他の株価等に関する情報が、使用者にとって非常に見やすいものとなる。
【００５５】
【発明の効果】
以上のように、本発明のケイ線表示用ブランクシートは、日足、週足、月足、年足等に相応する単位期間ごとに、始値、終値、高値、安値に応じて形成されるケイ線表示部を表示しうるように空白の状態にされたシートであって、縦軸方向の株価の数値に応じてケイ線表示部を表示しうるようチャートの縦方向に延設されているとともに、前記日足，週足，月足，年足等に相応する単位期間ごとにチャートの横方向に単位期間ごとに区画して配設された多数の同行欄のうち、等間隔ごとの同行欄は、表示されるケイ線表示部が読み取れる程度に薄く着色され、残りの同行欄は、シートの地色のままにされているものであるため、着色された同行欄と地色のままにされた同行欄とを明確に区別することができ、従って隣接する月の箇所の同行欄に誤って直線を描くという事態を防止することができ、ひいては誤った位置にケイ線表示部を形成するのを好適に防止することができるという効果がある。
【００５６】
特に、着色された１つの同行欄が、相互に隣接する２つの地色の同行欄を隔てて３単位期間ごとに配設されている場合には、たとえば２単位期間ごとに着色同行欄を配設した場合に比べても全体が見易くなり、また４単位期間以上隔てて着色同行欄を配設けた場合に比べて、隣接する同行欄に誤って直線を引く事態を防止できる効果がより良好となる。
【００５７】
さらに、日足，週足，月足，年足等に相応する単位期間ごとに横軸方向に表示される時期表示部が、チャートの最下部に設けられている他に、縦軸方向に表示される株価表示部の所定の株価の高さ位置に設けられている場合には、ケイ線表示部を表示する同行欄を見誤ることがなく、また定規等を用いて直線を引く作業も、チャートの最下部以外に時期表示部が設けられていることによってより容易に行うことができるという効果がある。
【００５８】
本発明によって上述のようなケイ線表示用ブランクシートを提供できる結果、このようなケイ線表示用ブランクシートを既設の株価分析用チャートシートの補填用として好適に使用することができる。
【００５９】
すなわち、ケイ線表示部等の株価情報がすでに表示された既設の株価分析用チャートシートの右側に上記のようなケイ線表示用ブランクシートを接続し、そのケイ線表示用ブランクシートの単位期間に相応する同行欄に新たな株価情報をその都度記入することで、既設の株価分析用チャートシートに表示された時期以後の株価をリアルタイムで加えていくことができ、所定の時期までの情報が印刷等によって表示された株価分析用チャートシートを保有する使用者は、新聞やインターネットの株価情報を自分で確認して、所定時期以後の株価を上記ケイ線表示用ブランクシートに自分で記入することができる。
【００６０】
この結果、所定時期以後の単位期間の株価情報を自分で記入することで、保有するチャートシートを常に最新のケイ線図として利用することができるという効果がある。
【００６１】
特に、所定の時期までの株価情報を表示した状態のチャートシートを、たとえば株式投資の知識の教授を行う教授者が受講者に渡すことにより、以後の株価情報を受講者が自分で記入することで、受講者自身の知識の向上にも寄与するととなる。
【図面の簡単な説明】
【図１】一実施形態としてのケイ線表示用ブランクシートの要部平面図。
【図２】一実施形態としてのケイ線表示用ブランクシートの要部平面図。
【図３】複数の時期表示部が表われるように縦長に表示したケイ線表示用ブランクシートの概略平面図。
【図４】横軸の最終時期が表われるように横長に表示したケイ線表示用ブランクシートの概略平面図。
【図５】株価分析用チャートシートの概略平面図。
【図６】他実施形態の株価分析用チャートシートの概略平面図。
【図７】他実施形態の株価分析用チャートシートにおけるケイ線表示部を示す要部拡大平面図。
【符号の説明】
１…ケイ線表示用ブランクシート    4a…着色同行欄
4b…白色同行欄                    ５…時期表示部
６…ケイ線表示部
【図１】
2004202999.tif 000003
【図２】
2004202999.tif 000004
【図３】
2004202999.tif 000005
【図４】
2004202999.tif 000006
【図５】
2004202999.tif 000007
【図６】
2004202999.tif 000008
【図７】
2004202999.tif 000009